(57)【要約】      （修正有）【課題】紐材の着脱を簡便にできる連結具を提供する。【解決手段】第一開口部２１と、該第一開口部よりも小さく形成された第二開口部２２と、前記第一開口部と前記第二開口部とをつなぐよう形成されたスリット部２３と、を有する中空構造体２を備える連結具１であって、前記スリット部は、一又は二以上の返し部２３１を有し、前記返し部は、前記第二開口部から前記第一開口部に向かう方向の力に対して返しとして機能することを特徴とする、連結具。【選択図】図１
2020058515.tif 000002
【特許請求の範囲】
【請求項１】
第一開口部と、
該第一開口部よりも小さく形成された第二開口部と、
前記第一開口部と前記第二開口部とをつなぐよう形成されたスリット部と、
を有する中空構造体を備える連結具であって、
前記スリット部は、一又は二以上の返し部を有し、
前記返し部は、前記第二開口部から前記第一開口部に向かう方向の力に対して返しとして機能することを特徴とする、連結具。
【請求項２】
前記連結具は、凹部及び／又は滑り止め部を有することを特徴とする、請求項１に記載の連結具。
【請求項３】
前記第一開口部が略半円状であることを特徴とする、請求項１又は２に記載の連結具。
【請求項４】
前記連結具は、さらに、板状の台座部を備え、
前記台座部は、紐材を通すための通し穴を有することを特徴とする、請求項３に記載の連結具。
【請求項５】
第一開口部と、
該第一開口部よりも小さい第二開口部と、
前記第一開口部と前記第二開口部とをつなぐよう形成されたスリット部と、
を有する中空構造体を備える連結具であって、
前記連結具は板状の台座部を備え、
前記台座部は、紐材を通すための通し穴を有することを特徴とする、連結具。
【請求項６】
前記中空構造体が弾性変形可能であることを特徴とする、請求項１〜５の何れか１項に記載の連結具。
【請求項７】
請求項１〜６の何れか１項に記載の連結具を備える、カメラ用ストラップ。
【発明の詳細な説明】
【技術分野】
【０００１】
本発明は連結具に関する。
【背景技術】
【０００２】
カメラ用ストラップは、一般的に、首に吊り下げるための紐材と、該紐材をカメラへ連結する連結具とで構成されている。
【０００３】
ここで、使用者は、カメラを三脚に取り付ける際に、カメラ用ストラップからカメラを取り外す必要があった。
【０００４】
連結具に関する技術として、特許文献１〜３にあるように、スリットの設けられた連結具が広く知られている。
また、特許文献４には、紐の玉目部分を挟み込む機構を備える、連結具が開示されている。
【先行技術文献】
【特許文献】
【０００５】
【特許文献１】特開２００１−２２４４２０号公報
【特許文献２】特開２００２−３６０３２９号公報
【特許文献３】実登３０６１６１１号公報
【特許文献４】特開２００３−２４５１１５号公報
【発明の概要】
【発明が解決しようとする課題】
【０００６】
上記先行技術にあるように、従来の連結具は、嵌め込んだ紐材を脱落させないよう複数の部品を使用していた。そのため、紐材を外す際の手間、部品の紛失等の恐れがあった。
【０００７】
上記事情に鑑みなされた本発明は、保持した紐材を脱落させず、かつ、紐材の着脱を簡便にすることができる技術を提供することを課題とする。
【課題を解決するための手段】
【０００８】
上記課題を解決する本発明は、第一開口部と、
該第一開口部よりも小さく形成された第二開口部と、
前記第一開口部と前記第二開口部とをつなぐよう形成されたスリット部と、
を有する中空構造体を備える連結具であって、
前記スリット部は、一又は二以上の返し部を有し、
前記返し部は、前記第二開口部から前記第一開口部に向かう方向の力に対して返しとして機能することを特徴とする、連結具である。
【０００９】
上記の構成とすることで、紐材の着脱を簡便にすることができる。
より具体的には、スリット部に返し部を設けることで、保持した紐材は脱落しにくく、かつ、紐材の着脱は簡便にすることができる。また、上記の構成とすることで、複数部品を用いることなく、紐材の着脱が可能な連結具とすることができる。
【００１０】
ここで、本明細書において、「返し部」は、ある方向に動く物体（動力、力）の移動を制限し、かつ、該方向と反対方向に動く物体（動力、力）の移動は制限しない（滑らかに移動する）よう機能する構造部分をいう。
また、本明細書において「第二開口部から第一開口部に向かう方向の力に対して返しとして機能する」は、第二開口部から第一開口部の方向にスリット部を動く物体（紐材）の移動を制限するよう機能することを意味する。
【００１１】
本発明の連結具の好ましい実施の形態では、前記連結具は凹部及び／又は滑り止め部を有する。
凹部及び／又は滑り止め部を有する形態とすることで、紐材の着脱をより簡便にすることができる。
【００１２】
本発明の連結具の好ましい実施の形態では、前記第一開口部が略半円状である。
前記第二開口部を略半円状とすることで、カメラ用ストラップに用いる連結具により好適な連結具とすることができる。
【００１３】
本発明の連結具の好ましい実施の形態では、前記連結具は、さらに、板状の台座部を備え、前記台座部は、紐材を通すための通し穴を有する。
上記の構成である連結具は、カメラ用ストラップとしての使用により適する。
そして、上記の構成である連結具を用いることで、カメラ用ストラップの分解が簡便となる（要すれば、図５  参照）。
【００１４】
本発明は、第一開口部と、
該第一開口部よりも小さい第二開口部と、
前記第一開口部と前記第二開口部とをつなぐよう形成されたスリット部と、
を有する中空構造体を備える連結具であって、
前記連結具は板状の台座部を備え、
前記台座部は、紐材を通すための通し穴を有することを特徴とする連結具でもある。
上記の構成である連結具は、カメラ用ストラップとしての使用により適する。
そして、上記の構成である連結具を用いることで、カメラ用ストラップの分解が簡便となる（要すれば、図５  参照）。そのため、上記の構成であることで、カメラ用ストラップの部品ごとの取り換え等をより簡便にすることができる。
【００１５】
本発明の連結具の好ましい実施の形態では、前記中空構造体が弾性変形可能である。
中空構造体を弾性変形可能とすることで、保持した紐材は脱落しにくく、かつ、紐材の着脱は簡便にすることができる。
【００１６】
本発明は、前述の連結具を備える、カメラ用ストラップでもある。
前述の連結具を用いることで、カメラ用ストラップの分解が簡便となる（要すれば、図５  参照）。そのため、上記の構成であることで、部品ごとの取り換え等をより簡便にすることができる。
【発明の効果】
【００１７】
本発明によれば、保持した紐材を脱落させず、かつ、紐材の着脱を簡便にすることができる技術を提供することができる。
【図面の簡単な説明】
【００１８】
【図１】（ａ）本発明の連結具の背面斜視図である。（ｂ）本発明の連結具の正面図である。
【図２】本発明の連結具の平面図である。
【図３】（ａ）本発明の連結具の側面図である。（ｂ）本発明の連結具の背面図である。
【図４】本発明の連結具の使用方法を示す参考図である。
【図５】本発明の連結具の使用形態を示す参考図である。
【図６】本発明の連結具の他の使用形態を示す参考図である。
【図７】本発明の連結具を使用し、カメラをカメラ用ストラップから外し、三脚に付け替える様子を示す参考図である。
【発明を実施するための形態】
【００１９】
以下、本実施例の連結具１について説明するが、本発明の技術的範囲は実施例に限定されないことは言うまでもない。
【００２０】
本実施例の連結具１は中空構造体２と、台座部３を備える。
以下、中空構造体２について図１〜３を用いて説明する。
【００２１】
本実施例において、中空構造体２は第一開口部２１と、
該第一開口部２１よりも小さく形成された第二開口部２２と、
第一開口部２１と第二開口部２２とをつなぐよう形成されたスリット部２３と、
を有する。
【００２２】
以下、第一開口部２１及び第二開口部２２について、より好ましい実施の形態を説明する。
【００２３】
ここで、本実施例において、第一開口部２１は略半円形状に形成されている。
第一開口部２１が略半円形状に形成されている連結具１はカメラ用のストラップにより好適に用いることができる。
【００２４】
また、本実施例において、第二開口部２２は略円形状に形成されている。
【００２５】
そして、本実施例において、第一開口部２１は、紐材５の玉目５１が通るサイズ以上の大きさである。また、第二開口部２２は、紐材５の玉目５１が通るサイズ以下の大きさである。
【００２６】
より具体的には、第一開口部２１が略半円形状である場合の、第一開口部２１の直径は、好ましくは８ｍｍ以上、より好ましくは１０ｍｍ以上、さらに好ましくは１２ｍｍ以上である。
第一開口部２１の直径が下限以上であることで、紐材の着脱を簡便にすることができる。
【００２７】
また、第一開口部２１が略半円形状である場合の、第一開口部２１の直径は、好ましくは３０ｍｍ以下、より好ましくは２５ｍｍ以下、さらに好ましくは１８ｍｍ以下である。
第一開口部２１の直径が上限以下であることで、保持した紐材を脱落させにくくすることができる。
【００２８】
また、第二開口部２２が略円形状である場合の、第二開口部２２の直径は、好ましくは２ｍｍ以上、より好ましくは３ｍｍ以上、さらに好ましくは４ｍｍ以上である。
第二開口部２２の直径が下限以上であることで、紐材の着脱を簡便にすることができる。
【００２９】
また、第二開口部２２が略円形状である場合の、第二開口部２２の直径は、好ましくは１０ｍｍ以下、より好ましくは７ｍｍ以下、さらに好ましくは５ｍｍ以下である。
第二開口部２２の直径が上限以下であることで、保持した紐材を脱落させにくくすることができる。
【００３０】
ただし、第二開口部２２は第一開口部２１の大きさより小さければ、第一開口部２１及び第二開口部２２の大きさに特に制限はない。第二開口部２２が第一開口部２１よりも小さく形成されていることで、例えば、紐材５の玉目５１部分を引っ掛け保持することができる。
【００３１】
ただし、第一開口部２１及び、第二開口部２２の形状に特に制限はない。また、第一開口部２１及び第二開口部２２が設けられる位置にも、特に制限はない。
【００３２】
以下、スリット部２３について、より好ましい実施の形態を説明する。
【００３３】
本実施例において、スリット部２３は、第一開口部２１と第二開口部２２とを直線につなぐよう形成されている。ただし、スリット部２３は、第一開口部２１と第二開口部２２とをつなぐよう形成されていれば、その形状に制限はない。
【００３４】
また本実施例において、スリット部２３は、二以上の略三角形状の返し部２３１を備える。
そして、返し部２３１は、第一開口部２１から第二開口部２２の方向にスリット部２３を狭窄させるよう形成されている。上記のような返し部２３１を備える連結具１は、保持した紐材５が脱落しにくい。
【００３５】
ただし、返し部２３１は、第二開口部２２から第一開口部２１に向かう方向の力に対して返しとして機能するものであれば、その形状、大きさに特に制限はない。
ここで、返し部２３１の数は、好ましくは二以上、より好ましくは四以上、さらに好ましくは六以上である。
【００３６】
上記のような返し部２３１を備えることで、連結具に保持された紐材５が脱落しない。
【００３７】
また、狭窄部２３２（図２中  Ａ−Ａ）の幅は、圧を受けた状態の紐材５が通る程度の大きさであることが好ましい。
より具体的にはスリット部２３が第一開口部２１と第二開口部２２とを直線につなぐよう形成されているときの、狭窄部２３２（図２中  Ａ−Ａ）の幅は、好ましくは１〜８ｍｍ、より好ましくは２〜６ｍｍ、さらに好ましくは２．５〜４ｍｍである。
狭窄部２３２（図２中  Ａ−Ａ）の幅を上記範囲内とすることで、保持した紐材を脱落させにくくすることができる。
【００３８】
また、幅広部２３３（図２中  Ｂ−Ｂ）の幅は、使用する紐材５が通る程度の大きさであることが好ましい。
より具体的には、スリット部２３が第一開口部２１と第二開口部２２とを直線につなぐよう形成されているときの、幅広部２３３（図２中  Ｂ−Ｂ）の幅は、好ましくは２〜１５ｍｍ、より好ましくは３〜１０ｍｍ、さらに好ましくは４〜７ｍｍである。
幅広部２３３（図２中  Ｂ−Ｂ）の幅を上記範囲内とすることで、紐材の着脱を簡便にすることができる。
【００３９】
本実施例において、中空構造体２は弾性変形可能に構成されている。中空構造体２が弾性変形可能な材料により構成されていることで、紐材５の着脱をより簡便にすることができる。また、中空構造体２が弾性変形可能な材料により構成されていることで、保持した紐材５が脱落しにくい。
ここで、弾性変形可能とは、外力によって変形することができるが、外力を取り除いたときに元の形状に復元できることを意味する。
【００４０】
弾性変形可能な材料としては弾性及び／又は可撓性を有する材料を挙げることができる。弾性及び／又は可撓性を有する材料により中空構造体２が構成されていることで、より簡便に紐材５の着脱をすることができる。また、中空構造体２が弾性及び／又は可撓性を有する材料により構成されていることで、保持した紐材は脱落しにくく、かつ、紐材の着脱は簡便にすることができる。
【００４１】
特に、中空構造体２は可撓性材料により構成されていることが好ましい。可撓性材料としては、例えば、加硫ゴム、熱可塑性エラストマー、熱可塑性樹脂等を挙げることができる。中でも、中空構造体２は熱可塑性樹脂により構成されていることが好ましく、熱可塑性樹脂としては、例えばＰＥ系樹脂、ＰＰ系樹脂、ＰＣ系樹脂、ＡＢＳ系樹脂、ポリアミド系樹脂、ポリエステル系樹脂等を挙げることができる。
【００４２】
また、中空構造体２は、金属性であってもよい。中でも、中空構造体２はアルミニウム性であることが好ましい。
なお、中空構造体２の材質に制限はない。
【００４３】
また、本実施例において中空構造体２は、平面視（図２  参照）したときに、略コップ型に成形されている。中空構造体２がコップ型である連結具１は、カメラ用のストラップに用いられる連結具１として適している。ただし、該中空構造体２の立体形状に特に制限はなく、略直方体形状、略球形、動物（亀、ウサギ等）・建造物（エッフェル塔、東京タワー等）、乗り物（車・船等）、日用品（コップ・食器等）等の具体的意匠の形を模した形状の何れであってもよい。
【００４４】
また、紐材５の着脱の簡便さの観点から、中空構造体２の厚みは好ましくは０．３ｃｍ以上、より好ましくは０．４ｃｍ以上、さらに好ましくは０．５ｃｍ以上である。
また、中空構造体２の厚みは好ましくは５ｃｍ以下、より好ましくは３ｃｍ以下、より好ましくは１．５ｃｍ以下、さらに好ましくは１．１ｃｍ以下である。
ただし、中空構造体２の厚みに特に制限はない。
【００４５】
また、中空構造体２は第一開口部２１と第二開口部２２との間に、玉目５１を収容する収容空間２４を備えることが好ましい。
収容空間２４を備えることで、保持した紐材５を脱落しにくくすることができる。
【００４６】
以下、台座部３について、図１〜図３を用いて説明する。
【００４７】
本実施例において台座部３は、板状である。台座部３が板状である連結具１は、カメラ用のストラップにより好適である。
ただし、その形状にも特に制限はなく、例えば、角柱や直方体等の立体形状、略球形状の何れであってもよい。また、台座部３の大きさに特に制限はない。
【００４８】
本実施例の連結具１は、板状である台座部３の両側面に、円弧状の凹部３１を備える（図１〜３  参照）。
ただし、凹部３１の形状、位置に特に制限はない。また、必ずしも凹部３１は台座部３に形成されている必要はなく、例えば、中空構造体２に凹部３１が設けられていてもよい。
本発明の連結具１が凹部３１を備えることで、紐材５の着脱を簡便にすることができる。
【００４９】
また、本実施例の連結具１は、台座部３の凹部３１に棒状の滑り止め部３２を備える（図１〜図３  参照）。
ただし、本発明の連結具１においては、滑り止め部３２の形状、位置、数に特に制限はない。
また、必ずしも滑り止め部３２は台座部３に設けられている必要はなく、例えば、中空構造体２が滑り止め部３２を備える形態であってもよい。
本発明の連結具１が滑り止め部３２を備えることで、紐材５をより簡便に外すことができる。
【００５０】
本実施例の連結具１は、台座部３の略中央に２つの通し穴３３を備える。台座部３の略中央に２つの通し穴３３を備えることで、スライダーとして機能させることもできる。
【００５１】
ここで、本実施例の連結具１が備える通し穴３３は、略長方形状である。
そして、通し穴３３が略長方形状であるとき、長手方向に好ましくは２〜１５ｍｍ、より好ましくは３〜１０ｍｍ、さらに好ましくは４〜７ｍｍ、また幅方向に好ましくは１〜８ｍｍ、より好ましくは２〜６ｍｍ、さらに好ましくは２．５〜４ｍｍである。
【００５２】
ただし、通し穴３３の大きさ、数、形状には特に制限はない。
【００５３】
本実施例において、台座部３は弾性変形可能に構成されている。台座部３が弾性変形可能な材料により構成されていることで、紐材５の着脱をより簡便にすることができる。
【００５４】
ここで、弾性変形可能な材料としては弾性及び／又は可撓性を有する材料を挙げることができる。特に、台座部３は可撓性材料により構成されていることが好ましい。弾性及び／又は可撓性を有する材料により中空構造体２が構成されていることで、保持した紐材５は脱落しにくく、かつ、紐材５の着脱は簡便にすることができる。
【００５５】
可撓性材料としては、例えば、加硫ゴム、熱可塑性エラストマー、熱可塑性樹脂等を挙げることができる。中でも、中空構造体２は熱可塑性樹脂により構成されていることが好ましく、熱可塑性樹脂としては、例えばＰＥ系樹脂、ＰＰ系樹脂、ＰＣ系樹脂、ＡＢＳ系樹脂、ポリアミド系樹脂、ポリエステル系樹脂等を挙げることができる。
【００５６】
また、台座部３は、金属性であってもよい。中でも、中空構造体２はアルミニウム性であることが好ましい。
なお、台座部３の材質に制限はない。
【００５７】
なお、本実施例において、連結具１の台座部３と中空構造体２とは一体成型されている。ただし、本発明の連結具１は、台座部３と中空構造体２とが異なる部品を組み合わせることにより形成されていてもよい。
【００５８】
また、本発明の連結具は、カメラ用ストラップ、登山用具、船舶用具、服飾、アウトドア用品などの連結具として好適に用いることができる。中でも、カメラ用ストラップの連結具として用いることが特に好ましい。
【００５９】
以下、図４〜図７を参照し、本実施例の連結具１の使用方法及び使用場面について、詳述する。
【００６０】
＜連結具１に紐材５を保持させる方法＞
まず、連結具１が備える第一開口部２１及び第二開口部２２に、紐材５を通す（図４（ａ）参照）。次に、紐材５を結ぶことで玉目５１を形成する。その後、玉目５１を有する紐材５を、カメラ用ストラップのＤカン部４２に通す。
そして、連結具１のスリット部２３に紐材５をあてがい、第一開口部２１から第二開口部２２に向かう方向に力を加えることで、紐材５を中空構造体２に連通させる。その後、第二開口部２２方向に紐材５を引っ張り、玉目５１を第二開口部２２に引っかけることで、連結具１に紐材５を固定することができる（図４（ｂ）  参照）。
【００６１】
本実施例においては、紐材５を結ぶことにより玉目５１を形成し、該玉目５１を連結具１に保持させている。紐を結ぶことにより玉目５１を形成し、該玉目５１を連結具１に保持させる形態とすることで、玉目５１を解くことで簡便に分解することができるため、パーツの代替などが簡便となり好ましい。
ただし、連結具１に保持させる手段は、紐を結ぶことにより形成した玉目５１を連結具１に保持させる形態に限定されず、例えば、玉部（ビーズ材料、金属球、プラスチック球  等、本実施例における玉目５１に相当する部分）の形成されたひも材を用い、該玉部を連結具１に保持させる形態であっても良い。
【００６２】
＜連結具１から紐材５を外す方法＞
まず、連結具１から、紐材５を第一開口部２１方向に引き出す（図４（ｃ）  参照）。
次に、紐材５を、スリット部２３に沿うよう、第一開口部２１から第二開口部２２に向かい、引っ張る。
【００６３】
ここで、返し部２３１は第一開口部２１から第二開口部２２に向かう方向の力に対して返しとして機能しないため、紐材５をスリット部２３に沿うよう、第一開口部２１から第二開口部２２に向かい引っ張ることで、簡便に紐材５を外すことができる（図４（ｃ）  参照）。
【００６４】
また、連結具１から紐材５を外すときに、連結具１が備える凹部３１や、滑り止め部３２を利用することで、より、簡便に紐材５を外すことができる。
【００６５】
＜連結具１の使用場面について＞
（１）カメラ用ストラップとしての使用
具体的には、本発明の連結具１に設けられた通し穴３３と、カメラの金具（Ｄカン部４２）に紐材５を通す（図５  参照）。その後、紐材５を、前述の方法で、連結具１に保持させることでカメラ用ストラップとすることができる。
また、図６に示すよう紐材５と連結具１とを連結する形態であってもよい。
【００６６】
（２）連結具１の使用場面
カメラ用ストラップからカメラ４を外し、カメラ４用の三脚７にカメラ４を設置する場面（図７  参照）において、本発明の連結具１は特に好適である。
【産業上の利用可能性】
【００６７】
本発明は、例えば、カメラ用のストラップに応用することができる。
【符号の説明】
【００６８】
１      連結具
２      中空構造体
２１    第一開口部
２２    第二開口部
２３    スリット部
２３１  返し部
２３２  狭窄部
２３３  幅広部
２４    収容空間
３      台座部
３１    凹部
３２    滑り止め部
３３    通し穴
４      カメラ
４１    ストラップ装着部
４２    Ｄカン部
５      紐材
５１    玉目
６      帯
７      三脚
【図１】
2020058515.tif 000003
【図２】
2020058515.tif 000004
【図３】
2020058515.tif 000005
【図４】
2020058515.tif 000006
【図５】
2020058515.tif 000007
【図６】
2020058515.tif 000008
【図７】
2020058515.tif 000009